(57)【特許請求の範囲】
【請求項１】
携帯装置と情報処理装置を含み、前記情報処理装置上でアプリケーションを起動するシステムであって、
前記携帯装置は、第１の信号処理装置、第１のメモリ、第１の表示装置、第１の入力装置および第１の近距離無線送受信機を具え、
前記情報処理装置は、第２の信号処理装置、第２のメモリ、第２の表示装置、第２の入力装置および第２の近距離無線送受信機を具え、
前記携帯装置は地理的住所、ＵＲＬおよび電子メール・アドレスの少なくとも１つを含む情報を前記第１の近距離無線送受信機を介して前記情報処理装置から受信して前記第１のメモリに格納し、前記第１のメモリに格納された情報を前記第１の入力装置の指示に応じて前記第１の表示装置に表示し、
前記携帯装置の前記第１の信号処理装置は、前記第１のメモリに格納されている地理的住所、ＵＲＬおよび電子メール・アドレスの少なくとも１つを含む複数の識別データの中からユーザによって選択された識別データに基づいて前記選択された識別データに対応するアプリケーションを決定して、前記選択された識別データおよび前記対応するアプリケーションの識別情報を前記情報処理装置に前記第１の近距離無線送受信機を介して送信し、
前記情報処理装置の前記第２の信号処理装置は、前記第２の近距離無線送受信機を介して前記携帯装置から前記選択された識別データおよび前記対応するアプリケーションの識別情報を受信して、前記対応するアプリケーションを起動し、前記起動されたアプリケーションに前記選択された識別データを渡し、
前記起動されたアプリケーションの処理によって得られた画面が前記第２の表示装置に表示されるものである、
システム。
【請求項２】
信号処理装置、メモリ、表示装置、入力装置および近距離無線送受信機を具える携帯情報処理装置であって、
前記信号処理装置は、前記メモリに格納されている地理的住所、ＵＲＬおよび電子メール・アドレスの少なくとも１つを含む複数の識別データの中からユーザによって選択された識別データに基づいて前記選択された識別データに対応するアプリケーションを決定して、前記選択された識別データおよび前記対応するアプリケーションの識別情報を、前記対応するアプリケーションを起動するために別の情報処理装置に前記近距離無線送受信機を介して送信するものである、
携帯情報処理装置。
【請求項３】
前記選択された識別データが住所録中のデータである、請求項２に記載の携帯情報処理装置。
【請求項４】
前記信号処理装置は、さらに、前記選択された識別データに基づいて前記対応するアプリケーションにおいて実行されるべき処理を決定して前記実行されるべき処理の識別情報を前記別の情報処理装置に前記近距離無線送受信機を介して送信するものである、
請求項２または３に記載の携帯情報処理装置。
【請求項５】
前記近距離無線送受信機がブルートゥース標準に従う、請求項２乃至４のいずれかに記載の携帯情報処理装置。
【請求項６】
信号処理装置、メモリ、表示装置、入力装置および近距離無線送受信機を具える情報処理装置であって、
前記信号処理装置は、地理的住所、ＵＲＬおよび電子メール・アドレスの少なくとも１つを含む複数の識別データの中からユーザによって選択された識別データおよび前記選択された識別データに対応するアプリケーションの識別情報を、前記近距離無線送受信機を介して別の装置から受信して、前記アプリケーションを起動し、前記起動されたアプリケーションに前記選択された識別データを渡し、さらに前記選択された識別データに基づいて前記起動されたアプリケーションによって実行されるべき関連する処理を決定して前記処理の識別情報を前記起動されたアプリケーションに渡し、
前記起動されたアプリケーションの処理によって得られた画面が前記表示装置に表示されるものである、
情報処理装置。
【請求項７】
前記選択された識別データが住所録中のデータである、請求項６に記載の情報処理装置。
【請求項８】
前記信号処理装置は、さらに、前記選択された識別データに関連する処理を前記起動されたアプリケーションに実行させるものである、
請求項６または７に記載の情報処理装置。
【請求項９】
前記信号処理装置は、前記アプリケーションによって実行されるべき処理の識別情報を前記別の装置から前記近距離無線送受信機を介して受信して前記処理の識別情報を前記起動されたアプリケーションに渡すものである、
請求項６または７に記載の情報処理装置。
【請求項１０】
前記信号処理装置は、さらに、前記アプリケーションの動作をモニタするものである、
請求項６乃至９のいずれかに記載の情報処理装置。
【請求項１１】
前記近距離無線送受信機がブルートゥース標準に従う、請求項６乃至１０のいずれかに記載の携帯情報処理装置。
【請求項１２】
信号処理装置、メモリ、表示装置、入力装置および近距離無線送受信機を具える携帯情報処理装置において使用可能な制御プログラムであって、
前記メモリに格納されている地理的住所、ＵＲＬおよび電子メール・アドレスの少なくとも１つを含む複数の識別データの中からユーザによって選択された識別データに基づいて前記選択された識別データに対応するアプリケーションを決定して、前記選択された識別データおよび前記対応するアプリケーションの識別情報を、前記対応するアプリケーションを起動するために別の情報処理装置に前記近距離無線送受信機を介して送信する処理を前記携帯情報処理装置に実行させるためのプログラム。
【請求項１３】
信号処理装置、メモリ、表示装置、入力装置および近距離無線送受信機を具える情報処理装置において使用可能な制御プログラムであって、
地理的住所、ＵＲＬおよび電子メール・アドレスの少なくとも１つを含む複数の識別データの中からユーザによって選択された識別データおよび前記選択された識別データに対応するアプリケーションの識別情報を前記近距離無線送受信機を介して受信して、前記アプリケーションを起動し、前記起動されたアプリケーションに前記選択された識別データを渡し、さらに前記選択された識別データに基づいて前記起動されたアプリケーションによって実行されるべき関連する処理を決定して前記処理の識別情報を前記起動されたアプリケーションに渡し、前記起動されたアプリケーションの処理によって得られた画面を前記表示装置に表示させる処理を前記情報処理装置に実行させるためのプログラム。
【請求項１４】
さらに、前記選択された識別データに関連する処理を前記起動されたアプリケーションに実行させる処理を前記情報処理装置に実行させるための、請求項１３に記載のプログラム。
【発明の詳細な説明】
【技術分野】
【０００１】
本発明は、情報処理装置との間で近距離無線通信を行う携帯装置に関する。
【背景技術】
【０００２】
ワイヤレス携帯ビューアとしての富士通製のＩポイント（Ｉ−ｐｏｉｎｔＴＭ）は、約１０．４ｃｍ×５．５ｃｍ×１．４ｃｍの小さいサイズを有し、またポインティング・キーを含む限られた数のキーを有する。それは、さらに、ブルートゥース（BluetoothＴＭ）標準に従った近距離ＲＦ無線通信によってパーソナル・コンピュータから住所録を取り込んでその住所録をそのメモリに格納する機能、その液晶画面上にその住所録を表示する機能、パーソナル・コンピュータ上で特定のアプリケーションを起動する機能、およびパーソナル・コンピュータの画面上でのポインティング機能（いわゆるマウス機能）を有する。その住所録には、氏名、会社名、住所および電話番号だけでなく、個人および会社のＵＲＬおよび電子メール・アドレス等を含めることができる。しかし、そのワイヤレス携帯ビューアは、その住所録中のデータに従ってパーソナル・コンピュータ上でアプリケーションを起動させることはできない。
【０００３】
藤井憲作氏他によって２００１年１月１２日に公開された特開２００１−６０８３号公報には、携帯電話サービスに関して、住所等の場所を識別する情報が携帯電話機からネットワークを介してサーバへと送られ、そのサーバによって、その情報に関連する地図が検索されその地図がその携帯電話機に送信されて携帯電話機の表示装置に表示されることが記載されている。
【０００４】
携帯電話機の表示装置に情報を表示させると、その表示装置のサイズが小さいので表示された情報は見にくいことがある。企業および個人のＵＲＬに関連する情報はたいていパーソナル・コンピュータ用の表示サイズで作成されているので、ユーザがそれを携帯電話機において見ることは難しい。携帯電話機において電子メールを作成する操作は手間がかかる。
【０００５】
通常のパーソナル・コンピュータにおいて、或るユーザ・インタフェースを介して、住所等の場所を識別する情報に従って地図の検索および表示のためのアプリケーションが起動され、その場所識別情報に関連する地図が検索されて、その地図がパーソナル・コンピュータの表示装置に表示されることは、知られている。
【０００６】
パーソナル・コンピュータの表示装置に表示されたＵＲＬ表示上でマウスがクリックされたときにＷｅｂ（ウェブ）ブラウザが起動されることは、知られている。ワードプロセッサ・アプリケーションによって作成された文書中に電子メール・アドレスが含まれているとき、パーソナル・コンピュータの表示装置上に表示されたその文書中のその電子メール・アドレス表示上でクリックされると、その電子メール・アドレスに対する送信用の電子メール・メッセージ作成のためのウィンドウが表示されることは、知られている。
【０００７】
鷲見竜樹氏によって１９９９年１０月１９日に公開された特開平１１−２８８３９７号公報には、ユーザが最初に遠隔制御器のインターネット接続キーを押してインターネット・テレビジョン装置をインターネットを介してサーバに接続させ、その後、遠隔制御器はユーザの操作に応答してそのサーバからそのテレビジョン装置を介して複数のＵＲＬを受信してその表示部に表示させ、ユーザは遠隔制御器を用いてそのＵＲＬの１つを選択して送信してそのテレビジョン装置にそのＵＲＬをサーバに送信させ、対応するホームページをそのサーバからテレビジョン装置によって受信することが記載されている。
【０００８】
江崎正氏によって１９９８年９月２５日に公開された特開平１０−２５７４５５号公報には、インターネット・テレビジョン装置において１つのＵＲＬに関連する情報が表示されている間に、ユーザが遠隔制御器のアクセス用キーを押すと、その時のビデオ信号中の垂直ブランキング期間（ＶＢＩ）に含まれているＵＲＬに従ってインターネット接続ユニットがインターネットに接続して対応するＷＷＷサイトにアクセスすることが記載されている。
【先行技術文献】
【特許文献】
【０００９】
【特許文献１】特開２００１−６０８３号公報
【特許文献２】特開平１１−２８８３９７号公報
【特許文献３】特開平１０−２５７４５５号公報
【発明の開示】
【００１０】
発明者たちは、ワイヤレス携帯ビューアに格納されている地理的住所、ＵＲＬおよび電子メール・アドレス等の相異なるデータを含んだ住所録中のデータをユーザに選択させて任意のパーソナル・コンピュータにＲＦ信号上で送信し、そのパーソナル・コンピュータにその選択されたデータに関連するアプリケーションを起動させて実行させることに対するニーズを認識した。
【００１１】
本発明の１つの目的は、携帯装置に格納されている相異なるデータの中の選択されたデータに関連するアプリケーションを情報処理装置に実行させるような機能増強された携帯装置を実現することである。
【００１２】
本発明の別の目的は、情報処理装置において、携帯装置から受信した選択されたデータに関連するアプリケーションを起動して実行させる機能を実現することである。
【００１３】
発明の概要
本発明の１つの特徴（側面）によれば、携帯情報処理装置は、信号処理装置、メモリ、表示装置、入力装置および近距離無線送受信機を具えている。その信号処理装置は、そのメモリに格納されている地理的住所、ＵＲＬおよび電子メール・アドレスの少なくとも１つを含む複数の識別データの中からユーザによって選択された識別データに基づいてその選択された識別データに対応するアプリケーションを決定して、その選択された識別データおよびその対応するアプリケーションの識別を、その対応するアプリケーションを起動するために別の情報処理装置にその近距離無線送受信機を介して送信する。
【００１４】
本発明の別の特徴によれば、情報処理装置は、信号処理装置、メモリ、表示装置、入力装置および近距離無線送受信機を具えている。その信号処理装置は、地理的住所、ＵＲＬおよび電子メール・アドレスの少なくとも１つを含む複数の識別データの中からユーザによって選択された識別データおよびその選択された識別データに対応するアプリケーションの識別情報を、近距離無線送受信機を介して別の装置から受信して、その対応するアプリケーションを起動し、その起動されたアプリケーションにその選択された識別データを渡し、さらにその選択された識別データに基づいてその起動されたアプリケーションによって実行されるべき関連する処理を決定してその処理の識別情報をその起動されたアプリケーションに渡す。
【００１５】
本発明の実施形態において、その選択された識別データは住所録中のデータであり、それらの近距離無線送受信機はブルートゥース標準に従うものであってもよい。
【００１６】
本発明のさらに別の特徴によれば、携帯情報処理装置において使用可能な制御プログラムは、メモリに格納されている地理的住所、ＵＲＬおよび電子メール・アドレスの少なくとも１つを含む複数の識別データの中からユーザによって選択された識別データに基づいてその選択された識別データに対応するアプリケーションを決定して、その選択された識別データおよびその対応するアプリケーションの識別情報を、その対応するアプリケーションを起動するために近距離無線送受信機を介して別の情報処理装置に送信する処理をその携帯情報処理装置に実行させる。
【００１７】
本発明のさらに別の特徴によれば、情報処理装置において使用可能な制御プログラムは、地理的住所、ＵＲＬおよび電子メール・アドレスの少なくとも１つを含む複数の識別データの中からユーザによって選択された識別データおよびその選択された識別データに対応するアプリケーションの識別情報を近距離無線送受信機を介して受信して、そのアプリケーションを起動し、その起動されたアプリケーションにその選択された識別データを渡し、さらにその選択された識別データに基づいてその起動されたアプリケーションによって実行されるべき関連する処理を決定してその処理の識別情報をその起動されたアプリケーションに渡し、その起動されたアプリケーションの処理によって得られた画面をその表示装置に表示させる処理をその情報処理装置に実行させる。
【００１８】
本発明のさらに別の特徴によれば、アプリケーション起動システムは携帯装置と情報処理装置を含んでいる。その携帯装置は、第１の信号処理装置、第１のメモリ、第１の表示装置、第１の入力装置および第１の近距離無線送受信機を具えている。その情報処理装置は、第２の信号処理装置、第２のメモリ、第２の表示装置、第２の入力装置および第２の近距離無線送受信機を具えている。その携帯装置のその第１の信号処理装置は、その第１のメモリに格納されている地理的住所、ＵＲＬおよび電子メール・アドレスの少なくとも１つを含む複数の識別データの中からユーザによって選択された識別データに基づいてその選択された識別データに対応するアプリケーションを決定して、その選択された識別データおよびその対応するアプリケーションの識別情報をその情報処理装置にその第１の近距離無線送受信機を介して送信する。その情報処理装置のその第２の信号処理装置は、その第２の近距離無線送受信機を介してその携帯装置からその選択された識別データおよびその対応するアプリケーションの識別情報を受信して、その対応するアプリケーションを起動し、その起動されたアプリケーションにその選択された識別データを渡す。その起動されたアプリケーションの処理によって得られた画面がその第２の表示装置に表示される。
【００１９】
本発明によれば、携帯装置に格納されているデータの中の選択されたデータに関連する情報処理装置上のアプリケーションを起動して実行させることができる。
【図面の簡単な説明】
【００２０】
【図１】図１は、本発明の実施形態による、携帯情報処理装置としてのワイヤレス携帯ビューアと、情報処理装置としてのパーソナル・コンピュータと、を示している。
【図２】図２は、本発明の実施形態による、機能増強されたワイヤレス携帯ビューアと制御機能を有するパーソナル・コンピュータの概略的構成をブロック図の形で示している。
【図３】図３は、実施形態における、ワイヤレス携帯ビューアおよびパーソナル・コンピュータによって実行されるフローチャートを示している。
【図４】図４は、図１および２の構成を有する別の実施形態における、ワイヤレス携帯ビューアおよびパーソナル・コンピュータによって実行される別のフローチャートを示している。
【図５】図５は、図１および２の構成を有するさらに別の実施形態における、ワイヤレス携帯ビューアおよびパーソナル・コンピュータによって実行されるさらに別のフローチャートを示している。
【図６】図６は、図１および２の構成を有するさらに別の実施形態における、ワイヤレス携帯ビューアおよびパーソナル・コンピュータによって実行されるさらに別のフローチャートを示している。
【図７】図７は、図１および２の構成を有するさらに別の実施形態における、ワイヤレス携帯ビューアおよびパーソナル・コンピュータによって実行されるさらに別のフローチャートを示している。
【図８】図８Ａ、８Ｂおよび８Ｃは、本発明による、ワイヤレス携帯ビューアにおいて表示された住所録データの選択と、パーソナル・コンピュータにおいて関連するアプリケーションによって表示された画面とを例示している。
【発明を実施するための形態】
【００２１】
図１は、本発明に従う、携帯情報処理装置（デバイス）としての機能増強されたワイヤレス携帯ビューア１０と、情報処理装置（デバイス）としてのパーソナル・コンピュータ（ＰＣ）２０と、を示している。ワイヤレス携帯ビューア１０は、ＬＣＤのような表示装置（デバイス）１１と、ビューア動作モードとマウスと同様のポインティング動作モードとの間の切り換えを行うスライド切換スイッチ１２とを含んでいる。携帯ビューア１０は、さらに、ビューア動作モードにおける、パーソナル・コンピュータ上のそれぞれの特定のアプリケーションを起動するための３つのアプリケーション・キー１３、表示装置１１における上下左右のカーソル移動を制御するための制御キー１４、携帯ビューア１０における選択された機能を実行するための実行キー１５、表示装置１１にコマンド・パレットを表示するための機能キー１６、および表示装置１１にメニューを表示するためのメニュー・キー１７を含んでいる。切換スイッチ１２がポインティング動作モードの位置にあるときには、制御キー１４はＰＣ２０の表示画面上のカーソルの上下左右斜め移動を制御し、実行キー１５はマウスの左クリックに対応し、機能キー１６はマウスの右クリックに対応する。
【００２２】
図１に示されているＰＣ２０は、ワイヤレス携帯ビューア１０とＲＦ信号を介して通信できるパーソナル・コンピュータである。
【００２３】
図２は、図１のワイヤレス携帯ビューア１０とＰＣ２０の概略的構成をブロック図の形で示している。この図において、図１と同じ参照番号は同じ構成要素を示している。
【００２４】
ワイヤレス携帯ビューア１０は、その表示装置１１に加えて、信号処理装置（ユニット）１１０、パーソナル・コンピュータとの近距離通信のためのブルートゥース標準に準拠した近距離無線通信装置（ユニット）１２０、記憶装置１３２、および図１に示されたキー１２〜１７を含む入力装置１３９を含んでいる。信号処理装置１１０は典型的にはプロセッサである。信号処理装置１１０は制御機能１１１を含んでおり、その機能は、ＲＯＭまたはＲＡＭ等の記憶装置１３２に格納された制御機能プログラムを信号処理装置１１０によって実行することによって実現される。代替構成として、その制御機能１１１は、信号処理装置１１０における専用の集積回路としてハードウェアの形態で実装されてもよい。
【００２５】
ＰＣ２０は、信号処理装置２１０、近距離通信のためのブルートゥース標準に準拠した近距離無線通信装置２２０、表示装置２３１、記憶装置２３２、例えばインターネットのような外部ネットワークに結合されたネットワーク・インタフェース２３６、およびキーボードおよびマウス等を含む入力装置２３９を含んでいる。信号処装置２１０は典型的にはプロセッサである。信号処装置２１０は制御機能２１１を含んでおり、その機能は、ＲＯＭまたはＲＡＭ等の記憶装置２３２に格納された制御機能プログラムを信号処装置２１０によって実行することによって実現される。代替構成として、その制御機能２１１は、信号処装置２１０における専用の集積回路としてハードウェアの形態で実装されてもよい。
【００２６】
信号処装置２１０は、その制御機能プログラム以外の記憶装置２３２に格納されたアプリケーション、例えばＷｅｂブラウザ・アプリケーション、電子メール作成アプリケーションを含んだメーラ・アプリケーション、地図検索および表示アプリケーション、およびワードプロセッサ・アプリケーション等のアプリケーションをも実行する。記憶装置２３２には、さらに、地図データベース等を格納したＲＡＭ、ＲＯＭ、磁気ディスクおよび光ディスク等が含まれる。ＰＣ２０はさらに外部のプリンタ（図示せず）にも結合されている。
【００２７】
携帯ビューア１０の無線通信装置１２０とＰＣ２０の無線通信装置２２０とは、ブルートゥース標準に従ってＲＦ信号上で近距離通信するためのブルートゥース・モジュールをそれぞれ含んでいる。それらのモジュールは、ベースバンド・ユニット、無線送受信機（transceiver）ユニット、およびチップ・アンテナのような小形のアンテナを有する。それらのモジュールは、ＩＳＭ（Industrial, Scientific and Medical）帯と呼ばれる２．４ＧＨｚ帯域（２．４０２〜２．４８０ＧＨｚ）を用いて、好ましくはパワー・クラス１の１ｍＷまたはそれより低い送信電力で動作するものであればよい。
【００２８】
ワイヤレス携帯ビューア１０は、ユーザのキー操作に従って、ＰＣ２０またはその他のパーソナル・コンピュータから、例えば氏名、会社名、住所、ＵＲＬおよび電子メール・アドレス等の識別データを含んだ所定のフォーマットの住所録、リスト、文書ファイルまたは電子メール等を受信して記憶装置１３２中のＲＡＭに予め格納する。その識別データにはタイプ固有のフラグが付加されていてもよく、例えば住所録中の地理的住所には地理的住所フラグが付加されていてもよい。
【００２９】
ユーザは、例えば、メニュー・キー１７を押下することによってその格納された“リスト”、“住所録”、“文書ファイル”または“電子メール”等のメニューを表示装置１１に表示させ、制御キー１４を操作してカーソルまたは反転表示を移動させて例えば“住所録”を選択し、実行キー１５を押下してその選択を確定する。それによって表示装置１１に氏名のリストを含む住所録が表示される。ユーザは、キー１４を操作して住所録中の氏名を選択し、実行キー１５を押下してその選択を確定する。それによってその氏名に関連する会社名、会社住所、会社電話番号、会社ファクシミリ電話番号、会社用電子メール・アドレスおよびＵＲＬ、および自宅住所、自宅電話番号、自宅電話番号および私用電子メール・アドレス等の住所録データが、表示装置１１に表示される。
【００３０】
本発明による機能増強されたワイヤレス携帯ビューア１０の制御機能１１１は、ユーザの操作に従って、例えば地理的住所、ＵＲＬおよび電子メール・アドレスのようなデータを無線通信装置１２０を介してＰＣ２０に送信する。その際、住所に住所フラグが付加されている場合にはそのフラグとともに住所が送信されてもよい。
【００３１】
本発明によるＰＣ２０の制御機能２１１は、ワイヤレス携帯ビューア１０から例えば地理的住所、ＵＲＬおよび電子メール・アドレスのようなユーザによって選択されたデータを無線通信装置２２０を介して受け取って、そのデータに関連するアプリケーションを起動しそのデータをそのアプリケーションに渡す。
【００３２】
図３は、実施形態における、ワイヤレス携帯ビューア１０およびＰＣ２０によって実行されるフローチャートを示している。ステップ３１２〜３１６は、ワイヤレス携帯ビューア１０によって実行される。図３のステップ３２６〜３３４は、ＰＣ２０によって実行される。
【００３３】
図３のステップ３１２において、携帯ビューア１０は、ユーザが、表示装置１１に表示された上述の住所録データの中の１つ、例えば会社住所、ＵＲＬまたは電子メール・アドレス（後で説明する図８Ａ、８Ｂおよび８Ｃの左側を参照）を選択し、機能キー１６を押下することを許容する。すると、携帯ビューア１０は表示装置１１上に、そのデータの送信をユーザに確認するための質問“そのデータを送信しますか？”と、選択のために回答“はい”および“いいえ”と、を表示する。ユーザは、制御キー１４を操作することによって“はい”を選択し、実行キー１５を押下することによってそのデータの送信を確定することができる。
【００３４】
ステップ３１６において、携帯ビューア１０は、データ送信の確定に応答して、その選択された住所録データをＰＣ２０に送信する。より詳しくは、制御機能１１１は、確定されたその住所録データを無線通信装置１２０に渡し、制御命令を介して通信装置１２０にそれをＰＣ２０に送信するよう要求する。無線通信装置１２０はその要求に従ってその住所録データをＰＣ２０に送信する。
【００３５】
ステップ３２６において、ＰＣ２０の無線通信装置２２０はその住所録データを受信する。無線通信装置２２０は、その住所録データを信号処理装置２１０の制御機能２１１に渡す。
【００３６】
ＰＣ２０の信号処理装置２１０における制御機能２１１は、ステップ３３０において、その受信された住所録データのタイプからＰＣ２０において起動されるべき関連するアプリケーションを決定する。例えば、その住所録データが地理的住所である場合は、関連するアプリケーションとして地図検索および表示アプリケーションを決定する。この場合、その住所に前述の地理的住所フラグが付加されているときはそのタイプの判定が容易になる。その受信住所録データがＵＲＬ（例えば、ｈｔｔｐ：／／・・・）である場合は、関連するアプリケーションとしてＷｅｂブラウザ・アプリケーションを決定する。その受信住所録データがキャラクタ“＠”を含む電子メール・アドレスである場合は、関連するアプリケーションとして電子メール作成アプリケーションを決定する。
【００３７】
制御機能２１１は、ステップ３３２において、信号処理装置２１０においてその決定されたアプリケーションを呼び出して起動する。制御機能２１１は、ステップ３３４において、その起動したアプリケーションにその住所録データを渡す。その後、ユーザは、通常の形態でＰＣ２０の入力装置２３９を操作してその住所録データを用いてそのアプリケーションを実行させる。
【００３８】
図８Ａ、８Ｂおよび８Ｃは、ワイヤレス携帯ビューア１０において表示された住所録データの選択と、ＰＣ１０において関連するアプリケーションによって表示された画面とを例示している。
【００３９】
図３のフローチャートによれば、ユーザが、携帯ビューア１０に表示された例えば図８Ａ左のような住所録データの中から地理的住所データを選択してＰＣ２０に送信したときは、ＰＣ２０の制御機能２１１は地図検索および表示アプリケーションを起動してそのアプリケーションにその住所データを渡し、そのアプリケーションは表示装置２３１上の検索画面の住所フィールドにその住所を入力して表示する（図示せず）。ユーザがＰＣ２０の入力装置２３９を操作する（例えばソフトウェア検索キーを押下する）と、そのアプリケーションは、その住所データを用いて記憶装置２３２中のデータベースから対応する地図を検索して、図８右に示されているようにＰＣ２０の表示装置２３１にその地図を表示する。ユーザは、表示装置２３１上でその地図を見て、必要に応じて入力装置２３９を操作することによってそれをプリントアウトしてもよい。
【００４０】
図３のフローチャートによれば、ユーザが、携帯ビューア１０に表示された例えば図８Ｂ左のような住所録データの中からＵＲＬを選択してＰＣ２０に送信したときは、ＰＣ２０の制御機能２１１はＷｅｂブラウザ・アプリケーションを起動してそのアプリケーションにそのＵＲＬを渡し、そのアプリケーションはアドレス・フィールドにそのＵＲＬを入力してＷｅｂブラウザの最初の画面を表示する。ユーザが、関連するＷｅｂページを受信して表示するようにＰＣ２０の入力装置２３９を操作すると、そのアプリケーションは、その住所データを用いて対応するＷｅｂページを関連するＷｅｂサーバから受信し、図８Ｂ右に示されているようにＰＣ２０の表示装置２３１にそのＷｅｂページを表示する。ユーザは、ＰＣ２０が外部ネットワークに接続されていないときには、Ｗｅｂページを表示装置２３１に表示させる前にネットワーク接続を制御するためのウィンドウ上でネットワーク接続を命令して、ネットワーク・インタフェース２３６を介してＰＣ２０を外部ネットワークに接続させる。
【００４１】
図３のフローチャートによれば、ユーザが、携帯ビューア１０に表示された例えば図８Ｃ左のような住所録データの中から電子メール・アドレスを選択してＰＣ２０に送信したときは、ＰＣ２０の制御機能２１１は電子メール作成アプリケーションを起動してそのアプリケーションにその電子メール・アドレスを渡し、そのアプリケーションはアドレス・フィールドにその電子メール・アドレスを入力して図８Ｃ右に示されているような電子メール作成画面をＰＣ２０の表示装置２３１に表示する。その後、ユーザはＰＣ２０上で電子メールを作成して通常の形態でその電子メールを送信する。ユーザは、ＰＣ２０が外部ネットワークに接続されていないときには、電子メールを送信する前にＰＣ２０をネットワーク・インタフェース２３６を介して外部ネットワークに接続させる。
【００４２】
上述の説明では、ワイヤレス携帯ビューア１０は、住所録データをその携帯ビューアに送信したＰＣ２０に対して、選択された住所録データを送信したが、住所録データに関連する同様のアプリケーションを有する別のパーソナル・コンピュータに対してその選択された住所録データを送信して、その別のパーソナル・コンピュータにその住所録データに従って上述したのと同様の方法でその関連するアプリケーションを実行させてもよい。
【００４３】
図４は、図１および２の構成を有する別の実施形態におけるワイヤレス携帯ビューア１０およびＰＣ２０によって実行される別のフローチャートを示している。ステップ３１２〜３３４は図３と同じであり、再び説明することはしない。ステップ３２６〜３４０はＰＣ２０によって実行される。
【００４４】
図４のステップ３３６において、ＰＣ２０の制御機能２１１は、さらにその受信された住所録データを分析して、そのデータのタイプからその起動されたアプリケーションにおいて実行されるべき関連する処理を決定する。ステップ３３８において、制御機能２１１は、その処理の識別または命令をそのアプリケーションに渡す。そのアプリケーションはその処理の識別に従ってその処理を実行する。ステップ３４０において、制御機能２１１は、正常に動作しているかどうかに関してそのアプリケーションの動作状態をモニタする。
【００４５】
ステップ３３２において起動されるアプリケーションがＷｅｂブラウザ・アプリケーションである場合に、制御機能２１１は、ＰＣ２０が外部ネットワークに接続されていないときには、ステップ３３２または３３８において、Ｗｅｂサーバに接続する前に、ネットワーク・インタフェース２３６を介してＰＣ２０を外部ネットワークに接続させる。
【００４６】
図４のフローチャートによれば、ユーザが携帯ビューア１０に表示された例えば図８Ａ左のような住所録データの中から地理的住所データを選択してＰＣ２０に送信したときは、ＰＣ２０の制御機能２１１は、地図検索および表示アプリケーションを起動してそのアプリケーションにその住所データとその処理識別としての検索命令とを渡し、そのアプリケーションは表示装置２３１上の検索画面の住所フィールドにその住所を入力して表示し、次いでその住所データを用いて対応する地図を検索して、図８右に示されているようにＰＣ２０の表示装置２３１にその地図を表示する。ユーザは、表示装置２３１上でその地図を見て、必要に応じて入力装置２３９を操作することによってそれをプリントアウトしてもよい。あるいは、制御機能２１１は、ステップ３３６においてそのアプリケーションにおいて実行されるべき処理としてプリントアウトをも決定し、ステップ３３８においてアプリケーションに上述の検索命令に加えて追加的処理識別としてさらにプリントアウト命令を渡して、地図検索および表示アプリケーションにそれをプリンタを用いてプリントアウトさせてもよい。
【００４７】
図４のフローチャートによれば、ユーザが、携帯ビューア１０に表示された例えば図８Ｂ左のような住所録データの中からＵＲＬを選択してＰＣ２０に送信したときは、ＰＣ２０の制御機能２１１はＷｅｂブラウザ・アプリケーションを起動してそのアプリケーションにそのＵＲＬとその処理識別としてＷｅｂページへのアクセスの命令を渡し、そのアプリケーションはそのＵＲＬを用いて対応するＷｅｂページにアクセスしてそのＷｅｂページをＰＣ２０の表示装置２３１に表示する。制御機能２１１は、ＰＣ２０が外部ネットワークに接続されていないときには、ネットワーク接続命令を渡して、Ｗｅｂページへのアクセスの前にネットワーク・インタフェース２３６を介してＰＣ２０を外部ネットワークに接続させる。
【００４８】
図５は、図１および２の構成を有するさらに別の実施形態における、ワイヤレス携帯ビューア１０およびＰＣ２０によって実行されるさらに別のフローチャートを示している。ステップ３１２、およびステップ３３２〜３３４は図３と同じであり、再び説明することはしない。
【００４９】
図５のフローチャートにおいてステップ３１２〜３１７はワイヤレス携帯ビューア１０によって実行される。ステップ３１２において、ユーザが、上述のようにして実行キー１５を押下することによってその住所録データの送信を確定すると、ステップ３１３において、制御機能１１１は、図３のステップ３３０におけるのと同様に、その住所録データのタイプからＰＣ２０において起動されるべき関連するアプリケーションを決定する。ステップ３１７にいて、制御機能１１１は、前述したのと同様の形態でその選択された住所録データおよびその決定されたアプリケーションの識別または命令（例えば、アプリケーション名、またはアプリケーション識別フラグ）をＰＣ２０に送信する。
【００５０】
図５のステップ３２７〜３３４はＰＣ２０によって実行される。ステップ３２７において、ＰＣ２０の無線通信装置２２０は、その住所録データおよび起動されるべきアプリケーションの識別を受信する。無線通信装置２２０は、その住所録データおよびアプリケーション識別を信号処理２１０に渡す。制御機能２１１は、図３のステップ３３０を実行することなく、図３におけるのと同様にステップ３３２〜３３４を実行する。
【００５１】
図６は、図１および２の構成を有するさらに別の実施形態における、ワイヤレス携帯ビューア１０およびＰＣ２０によって実行されるさらに別のフローチャートを示している。ステップ３１２〜３３４は図５のものと同じであり、ステップ３３６〜３４０は図３のものと同じであり、これらのステップを再び説明することはしない。
【００５２】
図７は、図１および２の構成を有するさらに別の実施形態におけるワイヤレス携帯ビューア１０およびＰＣ２０によって実行されるさらに別のフローチャートを示している。ステップ３１２〜３１３は図５のものと同じであり、ステップ３３２〜３４０は図６のものと同じであり、これらのステップを再び説明することはしない。
【００５３】
図７のステップ３１２〜３１８はワイヤレス携帯ビューア１０によって実行される。ステップ３１４において、制御機能１１１は、図４のステップ３３６におけるのと同様に、さらにその住所録データを分析して、そのデータのタイプからＰＣ２０においてその起動すべきアプリケーションにおいて実行されるべき関連する処理を決定する。ステップ３１８において、制御機能１１１は、前述したのと同様の形態でその選択された住所録データ、決定されたアプリケーション識別およびそのアプリケーションにおいて実行されるべき関連する処理の識別または命令（例えば、地図検索フラグ、プリントアウト・フラグ、Ｗｅｂページ・アクセス・フラグ）をＰＣ２０に送信する。
【００５４】
図７のステップ３２８〜３４０は、ＰＣ２０によって実行される。ステップ３２８において、ＰＣ２０の無線通信装置２２０は、その住所録データ、起動されるべき関連するアプリケーション名およびそのアプリケーションにおいて実行されるべき処理の識別を受信する。無線通信装置２２０は、その住所録データ、アプリケーション識別およびそのアプリケーションにおいて実行されるべき処理の識別を信号処理装置２１０に渡す。制御機能２１１は、図６のステップ３３６を実行することなく、ステップ３３２〜３３４およびステップ３３８〜３４０を実行する。
【００５５】
以上の実施形態の説明では、携帯情報処理装置に格納されている住所録に含まれている地理的住所、ＵＲＬおよび電子メール・アドレスについて説明したが、本発明は、これに限定されることなく、その住所録中の他のデータの送信および関連するアプリケーションの起動、およびその携帯情報処理装置に格納されているリスト、文書ファイルまたは電子メール等に含まれているそのようなデータの送信および関連するアプリケーションの起動にも、適用することができる。
【００５６】
以上説明した実施形態は典型例として挙げたに過ぎず、その変形およびバリエーションは当業者にとって明らかであり、当業者であれば本発明の原理および請求の範囲に記載した発明の範囲を逸脱することなく上述の実施形態の種々の変形を行えることは明らかである。
【図１】
0005135661.tif 000002
【図２】
0005135661.tif 000003
【図３】
0005135661.tif 000004
【図４】
0005135661.tif 000005
【図５】
0005135661.tif 000006
【図６】
0005135661.tif 000007
【図７】
0005135661.tif 000008
【図８Ａ】
0005135661.tif 000009
【図８Ｂ】
0005135661.tif 000010
【図８Ｃ】
0005135661.tif 000011